(57)【要約】【課題】車載用等の表示手段が小さいタブ選択操作装置において、タブの識別性を高めて操作性を向上させること。【解決手段】項目の種別を示すタブを選択させて該当する選択候補を表示し、そこから所望の項目を選択させるタブ選択操作装置において、所定数の基本タブを表示させる基本タブ表示手段と、表示する基本タブの切り換え操作をさせるための表示切換操作手段と、該表示切換操作手段が操作された時に、前記基本タブ表示手段により表示される基本タブを切り換える表示対象変更手段とを装備する。【選択図】    図４
2004185434.tif 000002
【特許請求の範囲】
【請求項１】
項目の種別を示すタブを選択させて該当する選択候補を表示し、そこから所望の項目を選択させるタブ選択操作装置において、
所定数の基本タブを表示させる基本タブ表示手段と、
表示する基本タブの切り換え操作をさせるための表示切換操作手段と、
該表示切換操作手段が操作された時に、前記基本タブ表示手段により表示される基本タブを切り換える表示対象変更手段とを備えていることを特徴とする選択操作装置。
【請求項２】
前記基本タブに従属する従属タブが選択された状態では、該基本タブに選択された従属タブの種別を表示する従属タブ種別表示手段を備えていることを特徴とする請求項１記載の選択操作装置。
【請求項３】
タブ選択状態において、選択されたタブの種別に応じた選択候補の表示に加え、表示画面に余裕のあるときには次の順序の選択候補を表示させる追加表示手段を備えていることを特徴とする請求項１または請求項２記載の選択操作装置。
【請求項４】
項目の種別を示すタブを選択させて該当する選択候補を表示し、そこから所望の項目を選択させるタブ選択操作装置において、
タブに対応する選択候補の有無を判断する候補有無判断手段と、
該有無判断手段により選択候補が無いことが検出された種別のタブについてはその表示を除外するタブ表示除外手段とを備えていることを特徴とする選択操作装置。
【請求項５】
項目の種別を示すタブを選択させて該当する選択候補を表示し、そこから所望の項目を選択させるタブ選択操作装置において、
タブに対応する選択候補の有無を判断する候補有無判断手段と、
該候補有無判断手段により選択候補が無いことが検出された種別のタブについてはその表示を縮小化するタブ表示縮小手段とを備えていることを特徴とする選択操作装置。
【請求項６】
項目の種別を示すタブを選択させて該当する選択候補を表示し、そこから所望の項目を選択させるタブ選択操作装置において、
選択されたタブを拡大表示するタブ拡大表示手段を備えていることを特徴とする選択操作装置。
【請求項７】
選択されたタブについてのみ種別を示す表示を行わせる種別選択表示手段を備えていることを特徴とする請求項６記載の選択操作装置。
【請求項８】
項目の種別を示すタブを選択させて該当する選択候補を表示し、そこから所望の項目を選択させるタブ選択操作装置において、
タブ近傍が操作された場合に、全タブを拡大表示させる全タブ拡大表示手段を備えていることを特徴とする選択操作装置。
【請求項９】
前記全タブ拡大表示手段による拡大表示後、所定時間以上タブに関する操作が無い場合、タブの拡大表示を解除する拡大表示解除手段を備えていることを特徴とする請求項８記載の選択操作装置。
【請求項１０】
項目の種別を示すタブを選択させて該当する選択候補を表示し、そこから所望の項目を選択させるタブ選択操作装置において、
タブが操作された場合に、選択されたタブの周囲のタブを拡大表示させる周辺タブ拡大表示手段を備えていることを特徴とする選択操作装置。
【請求項１１】
前記周辺タブ拡大表示手段による拡大表示後、所定時間以上タブに関する操作が無い場合、タブの拡大表示を解除する拡大表示解除手段を備えていることを特徴とする請求項１０記載の選択操作装置。
【請求項１２】
項目の種別を示すタブを選択させて該当する選択候補を表示し、そこから所望の項目を選択させるタブ選択操作装置において、
基本タブが操作された場合に、選択された基本タブの周囲の基本タブに対応する従属タグを表示させる周辺従属タブ表示手段を備えていることを特徴とする選択操作装置。
【請求項１３】
選択された基本タブと、従属タブが従属する基本タブとの表示位置関係に基づいて前記従属タブの表示位置を設定する従属タブ表示位置設定手段を備えていることを特徴とする請求項１２記載の選択操作装置。
【請求項１４】
前記周辺従属タブ表示手段による従属タブの表示後、所定時間以上タブに関する操作が無い場合、前記従属タブの表示を解除する従属タブ表示解除手段を備えていることを特徴とする請求項１２または請求項１３記載の選択操作装置。
【請求項１５】
項目の種別を示すタブを選択させて該当する選択候補を表示し、そこから所望の項目を選択させるタブ選択操作装置において、
基本タブが操作された場合に、選択された基本タブに対応する従属タブを前記基本タブと共に表示させる両タブ表示手段を備えていることを特徴とする選択操作装置。
【請求項１６】
選択された基本タブと、従属タブとの対応関係を示す関係示唆線を表示する関係示唆線表示手段を備えていることを特徴とする請求項１５記載の選択操作装置。
【請求項１７】
前記両タブ表示手段による従属タブの表示後、所定時間以上タブに関する操作が無い場合、前記従属タブの表示を解除する従属タブ表示解除手段を備えていることを特徴とする請求項１５または請求項１６記載の選択操作装置。
【発明の詳細な説明】
【０００１】
【発明の属する技術分野】
本発明は、表示手段に表示された候補項目の中から所望の項目を選択させる選択操作装置に関し、特にタブと呼ばれる所定の表示個所に表示された候補項目の種別を選択させることにより対応する候補項目を表示する選択操作装置に関する。
【０００２】
【従来の技術】
最近は電子機器の多機能化が進み、利用者による機能の選択操作が非常に複雑になってきている。このため、色々な操作方法が実現されており、その中に所謂タブを用いたもの（以降タブ操作方法と称する）がある（例えば下記の特許文献１参照）。このタブ操作方法は、候補項目の種別を各種別毎に設定されたタブをタッチパネルやカーソルキー等の座標入力装置、あるいはタブに対応して設けられた押釦スイッチを操作することにより、該当する候補項目が表示されるもので、利用者は表示された候補項目から該当項目を座標入力装置や押釦スイッチにより選択することで、選択操作が行われるようになっている。また、項目候補の数が多い場合には、タブを選択すると下層のタブが表示され、更にそこから該当するタブを選択するといった多階層構造を有するタブ操作方法も色々と提案されている（例えば下記の特許文献２、特許文献３参照）。
【０００３】
【特許文献１】
特開平５−２３３４２０号
【特許文献２】
特開平８−０１６３５０号
【特許文献３】
特開平１０−２１４１７２号
【０００４】
【発明が解決しようとする課題】
このようなタブ操作方法は、項目を順次絞りこんでいくもので、多くの候補項目が存在する中から選択する場合に有用で、例えば車載用ナビゲーション装置等における目的地設定、例えば都道府県名、市町村名などの条件で順番に絞り込んで地点を設定するような操作において広く採用されている。しかし、絞り込み条件が多くなるとタブ数が多くなり、一つ一つのタブが小さくなってタブの識別性が低下する問題がある。特に車載用装置の場合、液晶表示装置等の表示手段が小さいため、タブはより小さくなり、タブの識別性を高めて操作性を向上させることが重要な課題になっている。
【０００５】
【課題を解決するための手段及びその効果】
上記課題を解決するため、本発明に係る選択操作装置（１）は、項目の種別を示すタブを選択させて該当する選択候補を表示し、そこから所望の項目を選択させるタブ選択操作装置において、所定数の基本タブを表示させる基本タブ表示手段と、表示する基本タブの切り換え操作をさせるための表示切換操作手段と、該表示切換操作手段が操作された時に、前記基本タブ表示手段により表示される基本タブを切り換える表示対象変更手段とを備えていることを特徴としている。
上記選択操作装置（１）によれば、基本タブの表示数を表示画面の大きさや、表示対象となる全タブ数等に応じて適切に設定できるので、タブの視認性や、操作性の向上を図ることができる。
【０００６】
また、本発明に係る選択操作装置（２）は、上記選択操作装置（１）において、前記基本タブに従属する従属タブが選択された状態では、該基本タブに選択された従属タブの種別を表示する従属タブ種別表示手段を備えていることを特徴としている。
上記選択操作装置（２）によれば、従属タブが表示された状態で選択された従属タブの種別を確認できると共に、基本タブも選択できる利点がある。
【０００７】
また、本発明に係る選択操作装置（３）は、上記選択操作装置（１）又は（２）において、タブ選択状態において、選択されたタブの種別に応じた選択候補の表示に加え、表示画面に余裕のあるときには次の順序の選択候補を表示させる追加表示手段を備えていることを特徴としている。
上記選択操作装置（３）によれば、表示領域に余裕が有れば、選択されたタブに対応する選択候補だけでなく次に続く選択候補も順次表示されるので、新たにタブ選択操作を行わなくても選択候補を選択できる場合が生じ、さらに操作性の向上を図ることができる。
【０００８】
また、本発明に係る選択操作装置（４）は、項目の種別を示すタブを選択させて該当する選択候補を表示し、そこから所望の項目を選択させるタブ選択操作装置において、タブに対応する選択候補の有無を判断する候補有無判断手段と、該有無判断手段により選択候補が無いことが検出された種別のタブについてはその表示を除外するタブ表示除外手段とを備えていることを特徴としている。
上記選択操作装置（４）によれば、本来選択されることのないタブが表示されないので、表示画面を有効に使用でき、視認性を向上できると共に、選択候補の存在しないタブを選択すると言った誤操作の発生を防止することができる。
【０００９】
また、本発明に係る選択操作装置（５）は、項目の種別を示すタブを選択させて該当する選択候補を表示し、そこから所望の項目を選択させるタブ選択操作装置において、タブに対応する選択候補の有無を判断する候補有無判断手段と、該候補有無判断手段により選択候補が無いことが検出された種別のタブについてはその表示を縮小化するタブ表示縮小手段とを備えていることを特徴としている。
上記選択操作装置（５）によれば、本来選択されることのないタブが縮小表示されるので、表示画面を有効に使用でき、視認性を向上できると共に、選択候補の存在しないタブを選択すると言った誤操作の発生を防止することができる。また、種別の存在は示されているので、タブ表示がされないという故障と見間違うことや、種別の抜けによる違和感を生じさせない。
【００１０】
また、本発明に係る選択操作装置（６）は、項目の種別を示すタブを選択させて該当する選択候補を表示し、そこから所望の項目を選択させるタブ選択操作装置において、選択されたタブを拡大表示するタブ拡大表示手段を備えていることを特徴としている。
上記選択操作装置（６）によれば、選択されているタブの表示を大きくできるので、視認性を向上させることができる。また、縮小タブについては通常表示に比べ視認性が悪いが、おおよその位置が把握できる場合には、大体の位置を操作すればタブ表示が大きくなるので、縮小表示による操作性の低下も抑制できる。
【００１１】
また、本発明に係る選択操作装置（７）は、上記選択操作装置（６）において、選択されたタブについてのみ種別を示す表示を行わせる種別選択表示手段を備えていることを特徴としている。
上記選択操作装置（７）によれば、選択されたタブについてのみ種別を示す表示を行い、他のタブについては種別の表示を行わないので、選択状態を素早く把握できると共に、非選択タブの表示面積を小さくでき、画面の有効利用が可能となる。
【００１２】
また、本発明に係る選択操作装置（８）は、項目の種別を示すタブを選択させて該当する選択候補を表示し、そこから所望の項目を選択させるタブ選択操作装置において、タブ近傍が操作された場合に、全タブを拡大表示させる全タブ拡大表示手段を備えていることを特徴としている。
上記選択操作装置（８）によれば、必要な時のみ、つまりタブ操作の可能性が高い時のみタブの表示が大きくなるので、タブ表示が他表示の邪魔をすることを抑えることができる。
【００１３】
また、本発明に係る選択操作装置（９）は、上記選択操作装置（８）において、前記全タブ拡大表示手段による拡大表示後、所定時間以上タブに関する操作が無い場合、タブの拡大表示を解除する拡大表示解除手段を備えていることを特徴としている。
上記選択操作装置（９）によれば、タブ選択操作後にタブ操作が無い場合に、つまりタブの拡大表示の必要性が小さくなった場合にタブの拡大表示が自動的に解除されるので、面倒な操作を省くことができ、操作性が向上する。
【００１４】
また、本発明に係る選択操作装置（１０）は、項目の種別を示すタブを選択させて該当する選択候補を表示し、そこから所望の項目を選択させるタブ選択操作装置において、タブが操作された場合に、選択されたタブの周囲のタブを拡大表示させる周辺タブ拡大表示手段を備えていることを特徴としている。
上記選択操作装置（１０）によれば、必要な時のみ、つまりタブ操作の可能性が高い時のみ、さらに必要性のある可能性が高いタブのみ表示を大きくするので、タブ表示が他表示の邪魔をすることを抑えることができる。
【００１５】
また、本発明に係る選択操作装置（１１）は、上記選択操作装置（１０）において、前記周辺タブ拡大表示手段による拡大表示後、所定時間以上タブに関する操作が無い場合、タブの拡大表示を解除する拡大表示解除手段を備えていることを特徴としている。
上記選択操作装置（１１）によれば、タブ選択操作後にタブ操作が無い場合に、つまりタブの拡大表示の必要性が小さくなった場合にタブの拡大表示が自動的に解除されるので、面倒な操作を省くことができ、操作性が向上する。
【００１６】
また、本発明に係る選択操作装置（１２）は、項目の種別を示すタブを選択させて該当する選択候補を表示し、そこから所望の項目を選択させるタブ選択操作装置において、基本タブが操作された場合に、選択された基本タブの周囲の基本タブに対応する従属タグを表示させる周辺従属タブ表示手段を備えていることを特徴としている。
上記選択操作装置（１２）によれば、必要な時のみ、つまり従属タブ操作の可能性が高い時のみ、さらに必要性のある可能性が高い従属タブのみ表示するので、従属タブの選択操作性を高めることができる。
【００１７】
また、本発明に係る選択操作装置（１３）は、上記選択操作装置（１２）において、選択された基本タブと、従属タブが従属する基本タブとの表示位置関係に基づいて前記従属タブの表示位置を設定する従属タブ表示位置設定手段を備えていることを特徴としている。
上記選択操作装置（１３）によれば、従属タブと基本タブとの関係を把握することが容易となり、操作性を向上させることが可能となる。
【００１８】
また、本発明に係る選択操作装置（１４）は、上記選択操作装置（１２）又は（１３）において、前記周辺従属タブ表示手段による従属タブの表示後、所定時間以上タブに関する操作が無い場合、前記従属タブの表示を解除する従属タブ表示解除手段を備えていることを特徴としている。
上記選択操作装置（１４）によれば、従属タブの表示の必要性が小さくなった場合に従属タブの表示が自動的に解除されるので、面倒な操作を省くことができ、操作性が向上する。
【００１９】
また、本発明に係る選択操作装置（１５）は、項目の種別を示すタブを選択させて該当する選択候補を表示し、そこから所望の項目を選択させるタブ選択操作装置において、基本タブが操作された場合に、選択された基本タブに対応する従属タブを前記基本タブと共に表示させる両タブ表示手段を備えていることを特徴としている。
上記選択操作装置（１５）によれば、基本タブと選択された基本タブに従属する従属タブとが同時に表示されるので、基本タブと従属タブから選択操作ができ、操作性がより向上する。
【００２０】
また、本発明に係る選択操作装置（１６）は、上記選択操作装置（１５）において、選択された基本タブと、従属タブとの対応関係を示す関係示唆線を表示する関係示唆線表示手段を備えていることを特徴としている。
上記選択操作装置（１６）によれば、従属タブと基本タブの関係を把握することが容易となり、操作性を向上させることが可能となる。
【００２１】
また、本発明に係る選択操作装置（１７）は、上記選択操作装置（１５）又は（１６）において、前記両タブ表示手段による従属タブの表示後、所定時間以上タブに関する操作が無い場合、前記従属タブの表示を解除する従属タブ表示解除手段を備えていることを特徴としている。
上記選択操作装置（１７）によれば、従属タブの表示の必要性が小さくなった場合に従属タブの表示が自動的に解除されるので、面倒な操作を省くことができ、操作性を向上させることができる。
【００２２】
【発明の実施の形態】
以下、本発明の実施の形態に係る選択操作装置を図面に基づいて説明する。図１は実施の形態に係る選択操作装置を内蔵するナビゲーションシステムの概略構成を示すブロック図である。
【００２３】
ＧＰＳセンサ３は、ＧＰＳ衛星からの信号を受信し、その信号から位置を算出し、ナビゲーションシステム制御用のマイクロコンピュータ（以下、マイコンと記す）２に出力する。ＤＶＤ−ＲＯＭ再生部５はマイコン２からの制御信号に応じ、地図データが記憶されたＤＶＤ−ＲＯＭ（光ディスク）６から必要なデータを読み込んで、マイコン２に出力する。ＤＶＤ−ＲＯＭ再生部５のＤＶＤ−ＲＯＭ６は交換可能となっており、地図の更新（地図ＤＶＤ−ＲＯＭのバージョンアップ）に対応可能になっている。
【００２４】
タッチパネル４は、ナビゲーションシステム操作用のスイッチで、ディスプレイ１の前面に設けられ、押圧圧力の変化あるいは静電容量の変化により操作位置を検出する透明のシートスイッチや、格子状に張りめぐらされた赤外線網の遮断状態により操作位置を検出する赤外線センサ等により構成され、ディスプレイ１に対応した座標入力、例えばディスプレイ１に表示された地図上における位置指定や、ディスプレイ１に表示された押しボタンスイッチ等の選択操作が可能となっている。操作スイッチはタッチパネル４以外に、ナビゲーションシステム本体に設置された押しボタンスイッチ（図示せず）や、赤外線リモコン（図示せず）等によっても構成され、ＯＮ−ＯＦＦスイッチやジョイスティック等の方向指定用スイッチ等が装備されている。
【００２５】
マイコン２は、ＧＰＳセンサ３により検出された自車位置、操作スイッチの操作状態に応じて、ＤＶＤ−ＲＯＭ再生部５を制御して必要な地図データ等をＤＶＤ−ＲＯＭ６から読み込んだり、目的地までの経路を演算する処理等を行い、液晶表示装置で構成されたディスプレイ１に対応する地図、経路、各種案内、そして操作案内表示等を行う。マイコン２には、各種データ、プログラムの記憶、また演算処理のために用いるＲＡＭ、ＲＯＭが内蔵されており、マイコン２は、目的地の設定時や施設情報の表示時等、色々な場面で施設情報、ニュース、交通情報、天気予報、娯楽情報等の必要な情報や、各種操作画面をディスプレイ１に表示する制御を行っている。
【００２６】
次にタブ選択操作装置の動作について説明する。先ずタブ選択操作装置における基本的な機能・表示について説明する。図２はタブ選択操作装置における機能および表示状態を示す説明図である。本例ではナビゲーション装置における目的地を住所より選択する操作で、画面タブに表示される種別として５０音を例にあげているが、他に選択操作時や、またアルファベットや数字をグループ化したものや、施設等の種別をタブに表示する場合等でも同様に適用される。
【００２７】
タブ選択操作装置の表示状態は、図２（Ａ）に示すように、あ段のかなである「あ」、「か」、「さ」、「た」、「な」がタブ７に表示され、選択状態にある文字が「あ」であれば、「あ」が最初の音である都道府県名が５０音順に表示される。「は」以降のかなは画面の大きさにより本例では表示されていないが、利用者が見やすく、また操作し易いような数のタブを表示するようにすれば良い。また、本例では、「あ」が最初の音である都道府県名だけでは画面が埋まらず、表示に余裕が有るので、「あ」が最初の音である都道府県名に続き、次の音（「い」）が最初の音である都道府県名（石川県）も表示された状態を示している。更に表示領域に余裕が有れば、次に続く都道府県名を順次表示し、新たにタブ選択操作を行わなくても都道府県を選択できるようになっている。
【００２８】
この状態で、タッチパネル４を指等で押す等してタブ７を選択する（以降選択操作と称する）と（「あ」の選択）、図２（Ｂ）に示したようにその選択したタブに該当する下位のタブ（従属タブ）、例えば「あ」行のかなである「あ」、「い」、「う」、「え」、「お」が表示される。そして、従属タブのいずれかを選択すると、例えば「お」のタブ８を選択すると、図２（Ｃ）に示すように選択されたかな「お」のタブ８だけが残ると共に、そのかな「お」が最初の音である都道府県名から順に５０音順で都道府県名が表示される。その後、利用者による選択操作により都道府県名が選択確定され（「大阪府」候補表示９の選択）、その後の処理に選択された事項（「大阪府」）が用いられる。
【００２９】
次に、タブ選択操作装置におけるマイコン２が行う基本的処理動作を説明する。図３はタブ選択操作装置におけるマイコン２が行う基本的処理動作を示すフローチャートである。この処理はナビゲーションシステム（タブ選択操作装置）動作中に、他の機能に関する処理と共に、繰り返し実行される。
【００３０】
まずステップＳ１では、項目の選択状態にあるか否か、例えばナビゲーションシステムにおける目的地設定操作状態にあるか否かを判断し、選択状態にあると判断すればステップＳ２に移り、選択状態にないと判断すれば処理を終える。ステップＳ２では、選択状態に応じた基本タブ、例えば都道府県名選択の場合、５０音の「あ」段のかなを表示し、その後ステップＳ３に進む。ステップＳ３では、タブの選択決定操作（指等によるタブ部分の操作）があったか否かを判断し、あったと判断すればステップＳ４に移り、ないと判断すればステップＳ２に戻る。ステップＳ４では、選択決定操作されたタブに対応する従属タブ、例えば「あ」が選択決定された場合においては「あ」行のかなのタブを表示し、ステップＳ５に移る。ステップＳ５では、従属タブ表示から所定時間経過したか否かを判断し、所定時間経過したと判断すればステップＳ２に戻って基本タブ表示を行い（従属タブの消去）、所定時間経過していないと判断すればステップＳ６に移る。ステップＳ６では、従属タブの選択決定操作があったか否かを判断し、操作があったと判断すればステップＳ７に移り、操作がなかったと判断すればステップＳ５に戻る。
【００３１】
ステップＳ７では、選択決定された従属タブに対応する選択候補を表示し、例えば「お」の従属タブが選択決定された場合では「お」を最初の語とする都道府県名から５０音順に順次表示すると共に、従属タブを消去し（基本タブには選択された語、本例では「お」が表示される）、ステップＳ８に移る。ステップＳ８では、操作状態を検出し、タブの選択操作が無ければステップＳ７に戻って操作の検出を続け、またタブの選択操作があったと判断すればステップＳ４に戻り再度従属タブを表示し、また選択候補の選択決定操作（指等による選択候補部分の操作）があったと判断すればステップＳ９に移る。ステップＳ９では、選択決定された選択候補を選択された事項として確定し、その後の処理に用いられるようにして処理を終える。
【００３２】
次にタブ選択操作装置において、操作性をより向上させるいくつかの機能について順次説明する。
図４、図５は、第１タブ機能を示す機能説明図と、第１タブ機能を実現するためにマイコン２が行う処理を示すフローチャートである。尚、この処理はタブ選択操作処理におけるステップＳ３の基本タブ表示処理の一部として行われる。
【００３３】
第１タブ機能では、図４（Ａ）〜（Ｄ）に示したように、画面の一部にタブ切換スイッチ１１が表示される。そして、このタブ切換スイッチ１１を選択操作すると、基本タブ１２の表示が図４（Ａ）、（Ｂ）のように、「あ」〜「な」から、「は」〜「わ」に変更される。また、図４（Ｃ）、（Ｄ）のように、変更前に従属タブ、例えば「お」のタブ１４（更に選択候補として「大阪府」を選択）、「ふ」のタブ１３が選択されていれば、その状態は記憶され、再度表示状態が復帰した場合にはその記憶状態が読み出され、以前の状態、つまり基本タブ１４、１３に「お」（更に選択候補として「大阪府」が選択されている）、「ふ」が表示される。
【００３４】
尚、本例では、基本タブのグループが「あ」〜「な」と「は」〜「わ」の２グループに分けられているが、このグループ数は項目数と表示画面の大きさに応じて適宜決定すれば良く、またその表示順もタブ切換スイッチ１１の切換操作毎に順次サイクリックに切り換えれば良い。このように第１タブ機能では、同時に表示する基本タブの数を制限することにより、タブ表示の大きさと数を適切なものにすることができ、視認性と操作性を向上させることができる。
【００３５】
次にマイコン２が行う処理を図５に基づいて説明する。まずステップＳ１１では、タブ切換操作が行われたか否かを判断し、タブ切換操作が行われたと判断すればステップＳ１２に移り、タブ切換操作が行われていないと判断すればタブ選択操作処理のステップＳ３に移る。ステップＳ１２では、次の表示順の基本タブを表示し、タブ選択操作処理のステップＳ３に移る。尚、この際には基本タブの表示状態を記憶し、再度その表示状態となった場合にはその表示状態が読み出され、以前のタブ表示状態が再現される。また、最後の順の基本タブが表示された後にタブ切換操作が行われた場合には、最初の表示順の基本タブが表示され、所謂サイクリックな表示が行われるようになっている。
【００３６】
図６は、第２タブ機能を示す機能説明図（Ａ）と、第２タブ機能を実現するためにマイコン２が行う処理を示すフローチャート（Ｂ）であり、この処理はタブ選択操作処理におけるステップＳ３の基本タブ表示処理の一部として行われる。
【００３７】
第２タブ機能では、図６（Ａ）に示したように、選択候補の存在しない種別のタブの表示を省いており、本例では該当都道府県が存在しない「ら」行のタブ２１を表示から除外している。従って、本来選択されることのないタブが表示されないので、表示画面を有効に使用でき、視認性を向上させることができると共に、選択候補の存在しないタブを選択すると言った誤操作の発生を防止することができる。
【００３８】
次にマイコン２が行う処理を説明する。まずステップＳ１５では、選択候補の存在しないタブがあるか否かを判断し、有ると判断すればステップＳ１６に移り、無いと判断すればタブ選択操作処理のステップＳ３に移る。ステップＳ１６では、選択候補の存在しないタブについてタブ表示から除外する設定を行い（例えば、タブ表示用のメモリから、該当タブデータを消去する等の処理）、その後タブ選択操作処理のステップＳ３に移る。
【００３９】
図７は、第３タブ機能を示す機能説明図（Ａ）と、第３タブ機能を実現するためにマイコン２が行う処理を示すフローチャート（Ｂ）であり、この処理はタブ選択操作処理におけるステップＳ３の基本タブ表示処理の一部として行われる。
【００４０】
第３タブ機能では、図７（Ａ）に示したように、選択候補の存在しない種別のタブの表示を縮小しており、本例では該当都道府県が存在しない「ら」行のタブ２２を縮小している。従って、本来選択されることのないタブが縮小表示されるので、表示画面を有効に使用でき、視認性を向上させることができると共に、選択候補の存在しないタブを選択するといった誤操作の発生を防止することができる。また、種別の存在は示されているので、タブ表示がされない故障と見間違うことや、種別の抜けによる違和感の発生を防止できる。
【００４１】
次にマイコン２が行う処理を説明する。まずステップＳ２１では、選択候補の存在しないタブがあるか否かを判断し、有ると判断すればステップＳ２２に移り、無いと判断すればタブ選択操作処理のステップＳ３に移る。ステップＳ２２では、選択候補の存在しないタブについてタブ表示を縮小する設定を行い（例えば、タブ表示用のメモリの、該当タブデータを縮小表示用データに書き換える）、その後タブ選択操作処理のステップＳ３に移る。
【００４２】
図８は第４タブ機能を示す機能説明図（Ａ）、（Ｂ）と、第４タブ機能を実現するためにマイコン２が行う処理を示すフローチャート（Ｃ）であり、この処理はタブ選択操作処理におけるステップＳ３の基本タブ表示処理の一部として行われる。
【００４３】
第４タブ機能では、図８（Ａ）に示したように、タッチパネル４に対する指等による操作により選択された基本タブについては通常表示を行い、それ以外についてはタブの表示を縮小するもので、図では「あ」行のタブ２３を選択した場合（図８（Ａ））と、「わ」行のタブ２４を選択した場合（図８（Ｂ））を例としてあげている。従って、選択されているタブの表示を大きくできるので、視認性を向上させることができる。縮小タブについては通常表示に比べ視認性が悪くなるが、おおよその位置を把握できる「５０音のあ行」等の場合には、大体の位置を操作すればタブ表示が大きくなるので、縮小表示による操作性低下は小さい。
【００４４】
次にマイコン２が行う処理を説明する。まずステップＳ２５では、選択状態にあるタブに変更があったか否かを判断し、有ったと判断すればステップＳ２６に移り、無いと判断すればタブ選択操作処理のステップＳ３に移る。ステップＳ２６では、選択されたタブの通常表示と、非選択タブの縮小表示の設定を行い（例えば、タブ表示用のメモリにおける該当タブデータを書き換える）、その後タブ選択操作処理のステップＳ３に移る。
【００４５】
図９は第５タブ機能を示す機能説明図（Ａ）、（Ｂ）と、第５タブ機能を実現するためにマイコン２が行う処理を示すフローチャート（Ｃ）であり、この処理はタブ選択操作処理におけるステップＳ３の基本タブ表示処理の一部として行われる。
【００４６】
第５タブ機能では、図９（Ａ）に示したように、タッチパネル４に対する指等による操作により基本タブが選択された場合は、タブの拡大表示を行い（図９（Ｂ））、拡大表示から所定時間タブ操作が無い場合にタブの拡大表示を解除するもの（図９（Ａ））である。従って、必要な時のみ、つまりタブ操作の可能性が高い時のみタブの表示を大きくできるので、タブ表示が他表示の邪魔をする確率を低く抑えることができる。
【００４７】
次にマイコン２が行う処理を説明する。まずステップＳ３１では、タッチパネル４に対する指等による基本タブの選択操作があったか否かを判断し、選択操作があったと判断すればステップＳ３２に移り、選択操作がないと判断すればステップＳ３３に移る。ステップＳ３２では、全基本タブの拡大表示の設定を行い（例えば、タブ表示用のメモリにおけるタブデータを書き換える）、その後タブ選択操作処理のステップＳ３に移る。ステップＳ３３では、タブ操作が無い時間が所定時間を超えたか否かを判断し、所定時間を超えていればステップＳ３４に移り、超えていないと判断すればタブ選択操作処理のステップＳ３に移る。ステップＳ３４では、全基本タブの標準（縮小）表示の設定を行い（例えば、タブ表示用のメモリにおけるタブデータを書き換える）、その後タブ選択操作処理のステップＳ３に移る。
【００４８】
図１０は第６タブ機能を示す機能説明図（Ａ）、（Ｂ）と、第６タブ機能（第７タブ機能）を実現するためにマイコン２が行う処理を示すフローチャート（Ｃ）、および第６タブ機能の変形機能である第７タブ機能を示す機能説明図（Ｄ）であり、この処理はタブ選択操作処理におけるステップＳ３の基本タブ表示処理の一部として行われる。
【００４９】
第６タブ機能では、図１０（Ａ）に示したように、タッチパネル４に対する指等による操作により基本タブ２５が選択された場合は、選択された基本タブ２５付近（本例では上下・左右であるが、その範囲は画面サイズや基本タブ数等により適宜設定すれば良い）の基本タブ２６の拡大表示を行い（図１０（Ｂ））、拡大表示から所定時間タブ操作が無い場合にタブの拡大表示を解除するものである。従って、必要な時のみ、つまりタブ操作の可能性が高い時のみ、操作される可能性の高いタブの表示を大きくできるので、タブ表示が他表示の邪魔をする確率を低く抑えることができる。
【００５０】
次にマイコン２が行う処理を説明する。まずステップＳ４１では、タッチパネル４に対する指等による基本タブの選択操作があったか否かを判断し、選択操作があったと判断すればステップＳ４２に移り、選択操作がないと判断すればステップＳ４３に移る。ステップＳ４２では、選択された基本タブ付近の基本タブの拡大表示の設定を行い（例えば、タブ表示用のメモリにおけるタブデータを書き換える）、その後タブ選択操作処理のステップＳ３に移る。ステップＳ４３では、タブ操作が無い時間が所定時間を超えたか否かを判断し、所定時間を超えていると判断すればステップＳ４４に移り、超えていないと判断すればタブ選択操作処理のステップＳ３に移る。ステップＳ４４では、全基本タブの標準（縮小）表示の設定を行い（例えば、タブ表示用のメモリにおけるタブデータを書き換える）、その後タブ選択操作処理のステップＳ３に移る。
【００５１】
また、第７タブ機能では、図１０（Ａ）に示したように、タッチパネル４に対する指等による操作により基本タブ２５が選択された場合は、選択された基本タブ２５付近（本例では上下・左右であるが、その範囲は画面サイズや基本タブ数等により適宜設定すれば良い）の基本タブに対する従属タブ２７の表示（本例では拡大表示しているが、同じ大きさあるいは縮小表示でも可能）を行い（図１０（Ｄ））、従属タブ表示から所定時間タブ操作が無い場合に従属タブの表示を解除するものである。尚、「や」行については、基本タブが「か」、「さ」、「た」行とは異なった段に表示されているので、従属タブも他との識別性を高めるために空白部２８を設け、１段下げて表示している。この第７タブ機能を実現するには、ステップＳ４２に代え、選択された基本タブ付近の基本タブに対応する従属タブ表示処理を行い、タブ選択操作処理のステップＳ３に移る処理であるステップＳ４５を行う。
【００５２】
図１１は第８タブ機能を示す機能説明図（Ａ）、（Ｂ）と、第８タブ機能（第７タブ機能）を実現するためにマイコン２が行う処理を示すフローチャート（Ｃ）であり、この処理はタブ選択操作処理におけるステップＳ３の基本タブ表示処理の一部として行われる。
【００５３】
第８タブ機能では、図１１（Ａ）、（Ｂ）に示したように、タッチパネル４に対する指等による操作により基本タブ３２が選択された場合、基本タブ３１の表示は残したままで、選択された基本タブ３２に対する従属タブ３３の表示を行うものである。また、基本タブ３２と従属タブ３３との関係を示す関係示唆線３４が表示される。そして、従属タブ３３の表示から所定時間タブ操作が無い場合には従属タブ３３の表示を解除するものである。従って、基本タブ３１と選択された基本タブ３２に従属する従属タブ３３が同時に表示されるので、基本タブ３１と従属タブ３３との両者から選択操作を実行することができ、操作性をより向上させることができる。本例では、従属タブ表示状態での基本タブの表示は、選択された基本タブの段だけ表示しているが、全基本タブを表示する構成でも良い。
【００５４】
次にマイコン２が行う処理を説明する。まずステップＳ５１では、タッチパネル４に対する指等による基本タブの選択操作があったか否かを判断し、選択操作があったと判断すればステップＳ５２に移り、選択操作がないと判断すればステップＳ５３に移る。ステップＳ５２では、選択された基本タブに対応する従属タブの表示の設定を行う（例えば、従属タブ表示用のメモリに該当従属タブデータを書き込む）と共に、基本タブ３２と従属タブ３３との関係を示す関係示唆線３４を表示し、その後タブ選択操作処理のステップＳ３に移る。ステップＳ５３では、タブ操作が無い時間が所定時間を超えたか否かを判断し、所定時間を超えていると判断すればステップＳ５４に移り、超えていないと判断すればタブ選択操作処理のステップＳ３に移る。ステップＳ５４では、従属タブの消去処理を行い（例えば、従属タブ表示用のメモリのデータを消去）、その後タブ選択操作処理のステップＳ３に移る。
【図面の簡単な説明】
【図１】本発明の実施の形態に係る選択操作装置を内蔵するナビゲーションシステムの概略構成を示すブロック図である。
【図２】（Ａ）〜（Ｃ）はタブ選択操作装置における機能および表示状態を示す説明図である。
【図３】タブ選択操作装置におけるマイコンが行う基本的処理を示すフローチャートである。
【図４】（Ａ）〜（Ｄ）は第１タブ機能を示す機能説明図である。
【図５】第１タブ機能を実現するためにマイコンが行う処理を示すフローチャートである。
【図６】（Ａ）は第２タブ機能を示す機能説明図、（Ｂ）は第２タブ機能を実現するためにマイコンが行う処理を示すフローチャートである。
【図７】（Ａ）は第３タブ機能を示す機能説明図、（Ｂ）は第３タブ機能を実現するためにマイコンが行う処理を示すフローチャートである。
【図８】（Ａ）〜（Ｃ）は第４タブ機能を示す機能説明図と、第４タブ機能を実現するためにマイコンが行う処理を示すフローチャートである。
【図９】（Ａ）〜（Ｃ）は第５タブ機能を示す機能説明図と、第５タブ機能を実現するためにマイコンが行う処理を示すフローチャートである。
【図１０】（Ａ）〜（Ｄ）は第６・７タブ機能を示す機能説明図と、第６・７タブ機能を実現するためにマイコンが行う処理を示すフローチャートである。
【図１１】（Ａ）〜（Ｃ）は第８タブ機能を示す機能説明図と、第８タブ機能を実現するためにマイコンが行う処理を示すフローチャートである。
【符号の説明】
１・・・ディスプレイ
２・・・マイクロコンピュータ（マイコン）
３・・・ＧＰＳセンサ
４・・・タッチパネル
５・・・ＤＶＤ−ＲＯＭ再生部
６・・・ＤＶＤ−ＲＯＭディスク
【図１】
2004185434.tif 000003
【図２】
2004185434.tif 000004
【図３】
2004185434.tif 000005
【図４】
2004185434.tif 000006
【図５】
2004185434.tif 000007
【図６】
2004185434.tif 000008
【図７】
2004185434.tif 000009
【図８】
2004185434.tif 000010
【図９】
2004185434.tif 000011
【図１０】
2004185434.tif 000012
【図１１】
2004185434.tif 000013